(57)【要約】【課題】  オーディオユニットと物品収納用の収納ボックスとを隣接して配置する場合に、収納ボックスのリッドとオーディオユニットとの間の隙間の寸法を容易に管理できるようする。【解決手段】  一体に形成したオーディオユニット１２と物品収納用の収納ボックス１３とを、インストルメントパネル１１に形成した取付開口１１ａに取り付け、収納ボックス１３を開閉するリッド２０をインストルメントパネル１１側ではなくオーディオユニット１２および収納ボックス１３側に枢支したので、オーディオユニット１２および収納ボックス１３とリッド２０との位置関係が常に一定になり、オーディオユニット１２および収納ボックス１３とリッド２０との間の隙間の寸法の管理を容易化しながら外観を向上させることができる。【選択図】        図５
2010058720.tif 000002
【特許請求の範囲】
【請求項１】
オーディオユニット（１２）と、前記オーディオユニット（１２）に隣接する物品収納用の収納ボックス（１３）とを、インストルメントパネル（１１）に形成した取付開口（１１ａ）に取り付けた車両用オーディオ装置において、
前記収納ボックス（１３）を開閉するリッド（２０）を前記オーディオユニット（１２）に枢支したことを特徴とする車両用オーディオ装置。
【請求項２】
前記収納ボックス（１３）を前記オーディオユニット（１２）と一体に形成したことを特徴とする、請求項１に記載の車両用オーディオ装置。
【請求項３】
オーディオユニット（１２）と、前記オーディオユニット（１２）の上部に設けたＣＤプレーヤ（３２）とを、インストルメントパネル（１１）に形成した取付開口（１１ａ）に取り付けた車両用オーディオ装置において、
前記ＣＤプレーヤ（３２）の正面を覆うリッド（２０）を、その下縁において前記オーディオユニット（１２）に枢支したことを特徴とする車両用オーディオ装置。
【請求項４】
前記リッド（２０）に前記オーディオユニット（１２）の液晶パネル（２２）あるいはスイッチを設けたことを特徴とする、請求項１〜請求項３の何れか１項に記載の車両用オーディオ装置。
【発明の詳細な説明】
【技術分野】
【０００１】
本発明は、オーディオユニットと、前記オーディオユニットに隣接する物品収納用の収納ボックスとを、あるいはオーディオユニットと、前記オーディオユニットの上部に設けたＣＤプレーヤとを、インストルメントパネルに形成した取付開口に取り付けた車両用オーディオ装置に関する。
【背景技術】
【０００２】
インストルメントパネルのコンソールに形成した取付開口に２ＤＩＮサイズのボックスを取り付け、そのボックスの開口をスイッチ類や表示部が設けられた蓋で開閉可能とし、ボックスの上側または下側の１ＤＩＮサイズのスペースにラジオ本体部を収納したものが、下記特許文献１により公知である。
【特許文献１】特開平６−８７３８７号公報
【発明の開示】
【発明が解決しようとする課題】
【０００３】
ところで、２ＤＩＮサイズのスペースの一方にオーディオユニットを収納し、他方に収納ボックスを設けた場合、収納ボックスを開閉するリッドを該収納ボックスあるいは車体の取付開口に枢支すると、オーディオユニットとリッドとが接する部分の隙間の寸法管理が面倒になり、前記隙間が不均一になって外観が低下したり、隙間を均一化する作業に多くの時間および労力を必要とする問題があった。
【０００４】
本発明は前述の事情に鑑みてなされたもので、オーディオユニットと物品収納用の収納ボックスとを隣接して配置する場合に、収納ボックスのリッドとオーディオユニットとの間の隙間の寸法を容易に管理できるようすることを目的とする。
【課題を解決するための手段】
【０００５】
上記目的を達成するために、請求項１に記載された発明によれば、オーディオユニットと、前記オーディオユニットに隣接する物品収納用の収納ボックスとを、インストルメントパネルに形成した取付開口に取り付けた車両用オーディオ装置において、前記収納ボックスを開閉するリッドを前記オーディオユニットに枢支したことを特徴とする車両用オーディオ装置が提案される。
【０００６】
また請求項２に記載された発明によれば、請求項１の構成に加えて、前記収納ボックスを前記オーディオユニットと一体に形成したことを特徴とする車両用オーディオ装置が提案される。
【０００７】
また請求項３に記載された発明によれば、オーディオユニットと、前記オーディオユニットの上部に設けたＣＤプレーヤとを、インストルメントパネルに形成した取付開口に取り付けた車両用オーディオ装置において、前記ＣＤプレーヤの正面を覆うリッドを、その下縁において前記オーディオユニットに枢支したことを特徴とする車両用オーディオ装置が提案される。
【０００８】
また請求項４に記載された発明によれば、請求項１〜請求項３の何れか１項の構成に加えて、前記リッドに前記オーディオユニットの液晶パネルあるいはスイッチを設けたことを特徴とする車両用オーディオ装置が提案される。
【発明の効果】
【０００９】
請求項１の構成によれば、オーディオユニットと物品収納用の収納ボックスとをインストルメントパネルに形成した取付開口に相互に隣接して取り付け、収納ボックスを開閉するリッドをインストルメントパネル側あるいは収納ボックス側ではなく、オーディオユニット側に枢支したので、オーディオユニットとリッドとの位置関係が常に一定になり、オーディオユニットおよびリッド間の隙間の寸法の管理を容易化しながら外観を向上させることができる。
【００１０】
また請求項２の構成によれば、収納ボックスをオーディオユニットと一体に形成したので、オーディオユニットに枢支したリッドと、そのリッドで開閉される収納ボックスとの位置関係が一定になり、リッドと収納ボックスとの位置合わせが不要になって組付時の作業性が向上する。
【００１１】
また請求項３の構成によれば、オーディオユニットとその上部に設けたＣＤプレーヤとをインストルメントパネルに形成した取付開口に取り付け、ＣＤプレーヤの正面を覆うリッドの下縁をオーディオユニットに枢支したので、オーディオユニットとリッドとの位置関係が常に一定になり、オーディオユニットおよびリッド間の隙間の寸法の管理を容易化しながら外観を向上させることができるだけでなく、リッドを開いた状態でＣＤプレーヤに対する上方からのアクセスが良好になり、ＣＤプレーヤへのＣＤの挿入や排出を容易に行うことができる。
【００１２】
また請求項４の構成によれば、オーディオユニットに枢支されたリッドにオーディオユニットの液晶パネルあるいはスイッチを設けたので、リッドの液晶パネルあるいはスイッチをオーディオユニットに接続するケーブルが不要になり、配線の簡素化を図ることができる。
【発明を実施するための最良の形態】
【００１３】
以下、本発明の実施の形態を添付の図面に基づいて説明する。
【００１４】
図１〜図７は本発明の第１の実施の形態を示すもので、図１は車両用オーディオユニットの正面図、図２は図１においてリッドを開いた状態を示す図、図３は図１の３−３線断面図、図４は図１の４−４線断面図、図５は図２の５方向矢視図、図６は前記図３に対応する、第１外部記憶手段の使用状態を示す図、図７は前記図３に対応する、第２外部記憶手段の使用状態を示す図である。
【００１５】
図１〜図５に示すように、自動車の運転席および助手席間のインストルメントパネル１１に形成した取付開口１１ａに、下段のオーディオユニット１２と上段の収納ボックス１３とを一体化したものが取り付けられる。即ち、インストルメントパネル１１の内部に位置するオーディオユニット１２および収納ボックス１３の側面に複数の取付ブラケット１４…がボルト１５…（図３参照）で固定されており、これらの取付ブラケット１４…がボルト１６…でインストルメントパネル１１の内面に固定される。
【００１６】
インストルメントパネル１１の表面側に露出するオーディオユニット１２の操作パネル１７には、ラジオの操作に加えて、後述するｉＰｏｄ（登録商標）あるいはＵＳＢメモリ等の外部記憶手段に記憶した音楽の再生を行うための複数のボタン１８ａ〜１８ｈやダイヤル１９が設けられる。
【００１７】
収納ボックス１３のボックス開口部１３ｇを開閉するリッド２０は、その下縁の左右両端部に設けたヒンジ２１，２１により、オーディオユニット１２の上縁に沿って枢支される。即ち、リッド２０はインストルメントパネル１１側に支持されるのではなく、一体に形成されたオーディオユニット１２および収納ボックス１３側に枢支されており、従ってオーディオユニット１２の上縁に対するリッド２０の下縁の隙間管理が容易になるだけでなく、収納ボックス１３のボックス開口部１３ｇに対するリッド２０の外周部の隙間管理が容易になり、その外観が向上する。
【００１８】
仮に、リッド２０をインストルメントパネル１１側に設けたとすると、オーディオユニット１２の上縁とリッド２０の下縁との間の隙間や、収納ボックス１３のボックス開口部１３ｇと、リッド２０の外周部との間の隙間が不均一になり易いため、その調整が面倒になる問題があるが、本実施の形態によれば、上記面倒な調整を不要にしながら隙間の管理を容易にして外観を向上させることができる。
【００１９】
またリッド２０には、オーディオユニット１２に関する種々の表示を行うための液晶パネル２２が設けられているが、リッド２０がオーディオユニット１２の上縁に枢支されているため、リッド２０の液晶パネル２２とオーディオユニット１２とをリード線を介して接続することなく、前記ヒンジ２１，２１の内部を通して接続することが可能となり、外観の向上や配線の信頼性の向上が可能になる。
【００２０】
収納ボックス１３の側壁は、収納ボックス１３のボックス開口部１３ｇの左端から車体前方に延びる第１側壁１３ａと、第１側壁１３ａの前端から斜め右前方に延びる第２側壁１ｂと、第２側壁１ｂの前端から車体前方に延びる段付きの第３側壁１３ｃと、第３側壁１３ｃの前端から前記ボックス開口部１３ｇと平行に右方向に延びる第４側壁１３ｄと、収納ボックス１３のボックス開口部１３ｇの右端から車体前方に延びて前記第４側壁１３ｄの右端に連なる第５側壁１３ｅとを備える。
【００２１】
前記第１側壁１３ａ、第２側壁１３ｂ、第３側壁１３ｃおよび第５側壁は、収納ボックス１３を合成樹脂で射出成形する際の型抜きを考慮して、収納ボックス１３の前後方向に延びる中心線Ｌに対して、前方側が次第に接近するように、つまり左側の第１〜第３側壁１３ａ〜１３ｃと、右側の第５側壁１３ｅとの間の幅Ｗが、前方側で次第に狭まるように傾斜している。特に、第１、第３側壁１３ａ，１３ｃに挟まれた第２側壁１３ｂは、その前端側が収納ボックス１３の中心線Ｌに対して４５°の角度を成して接近するように大きく傾斜している。
【００２２】
図３および図６に示すように、一端がオーディオユニット１２に接続されたケーブル２３が、第２側壁１３ｂの下部を貫通して収納ボックス１３の内部にが延びており、このケーブル２３の先端に設けたコネクタ２４をｉＰｏｄ（登録商標）のような携帯可能な第１外部記憶手段２５に結合することで、第１外部記憶手段２５をオーディオユニット１２に接続可能である（図６参照）。前記コネクタ２４は、それを使用しないときにぶらぶらして邪魔にならないように、第３側壁１３ｃの段部に設けたホルダ１３ｆに保持される（図３参照）。
【００２３】
また図７に示すように、第２側壁１３ｂの上部にはオーディオユニット１２にケーブル２６を介して接続されたコネクタ２７が設けられており、補助ケーブル２８の一端に設けたコネクタ２９を前記第２側壁１３ｂのコネクタ２７に結合するとともに、補助ケーブル２８の他端に設けたコネクタ３０を、ＵＳＢメモリのような携帯可能な第２外部記憶手段３１に結合することで、第２外部記憶手段３１をオーディオユニット１２に接続可能である。
【００２４】
しかして、車載のオーディオユニット１２に、音楽等を記憶させた第１外部記憶手段２５あるいは第２外部記憶手段３１を接続することで、そのオーディオユニット１２や車載のスピーカを利用して音楽等を楽しむことができる。しかも第１、第２外部記憶手段２５，３１は収納ボックス１３に収納されて乗員からは直接見えないため、車室内の美観を損ねることもない。
【００２５】
以上のように、収納ボックス１３の左側の第２側壁１３ｂを、その前端側が収納ボックス１３の右側の第５側壁１３ｅに接近するように、収納ボックス１３の中心線Ｌに対して４５°傾斜して配置したので、図６に示すように、ケーブル２３を第１外部記憶手段２５に接続する際に、そのケーブル２３の曲げ角度が緩やかになってストレスを軽減することができる。
【００２６】
仮に、第２側壁１３ｂを収納ボックス１３の中心線Ｌに対して直交する方向（収納ボックス１３のボックス開口部１３ｇと平行な方向）に形成したとすると、ケーブル２３はより強く曲げられて大きなストレスを受ける問題があるが、本実施の形態によれば上記問題を解消することができる。
【００２７】
また図７に示すように、補助ケーブル２８を用いて第２外部記憶手段３１をオーディオユニット１２に接続する場合、補助ケーブル２８の一端に設けたコネクタ２９を第２側壁１３ｂに設けたコネクタ２７に結合する必要があるが、その際に第２側壁１３ｂが傾斜していることで、両コネクタ２７，２９の結合作業を容易に行うことができる。
【００２８】
仮に、第２側壁１３ｂを収納ボックス１３の中心線Ｌに対して直交する方向（収納ボックス１３のボックス開口部１３ｇと平行な方向）に形成したとすると、第１側壁１３ａが邪魔になって両コネクタ２７，２９の結合作業がやり難くなってしまう。この不具合を解消するには、第２側壁１３ｂを収納ボックス１３の中心線Ｌに向けて長く張り出せば良いが、このようにすると収納ボックス１３の容積が減少して物品の収納能力が小さくなってしまう問題があるが、本実施の形態によれば上記問題を解消することができる。
【００２９】
特に、本実施の形態によれば、第２側壁１３ｂを収納ボックス１３の中心線Ｌに対して直交する方向に形成する場合に比べて、第２側壁１３ｂの前端と収納ボックス１３の中心線Ｌとの距離を大きく確保できるので、第２側壁１３ｂの前方に連設した第３側壁１３ｃにより収納ボックス１３の前側部分の容積を効果的に拡大することができる。
【００３０】
次に、図８に基づいて本発明の第２の実施の形態を説明する。
【００３１】
第２の実施の形態は、収納ボックス１３に代えてＣＤプレーヤ３２を搭載したもので、ＣＤ挿入口３２ａやＣＤ排出スイッチ３２ｂが設けられたＣＤプレーヤ３２の正面は、下縁を枢支されて手前側に開くリッド２０で覆われる。
【００３２】
この第２の実施の形態によっても、リッド２０をインストルメントパネル１１側ではなく、オーディオユニット１２側に枢支したので、オーディオユニット１２とリッド２０との間の隙間の管理が不要になり、組付時に面倒な調整作業を必要とせずに美観を向上させることができる。しかも、リッド２０は下縁を枢支されていて手前側に開くため、リッド２０を開いた状態でＣＤプレーヤ３２に対する上方からのアクセスが良好になり、ＣＤプレーヤ３２へのＣＤの挿入や排出を容易に行うことができる。
【００３３】
以上、本発明の実施の形態を説明したが、本発明は上記実施の形態に限定されるものではなく、特許請求の範囲に記載された本発明を逸脱することなく種々の設計設定を行うことが可能である。
【００３４】
例えば、実施の形態では収納ボックス１３をオーディオユニット１２と一体に形成しているが、収納ボックス１３およびオーディオユニット１２を別体に形成しても良い。この場合には、リッド２０はオーディオユニット１２に枢支することが必要である。
【００３５】
また実施の形態では収納ボックス１３をインストルメントパネル１１と別体に形成しているが、インストルメントパネル１１に収納ボックス１３を一体に形成することもできる。
【００３６】
また実施の形態ではリッド２０に液晶パネル２２を設けているが、そこに種々のスイッチを設けることができる。
【００３７】
また図３に想像線で示すように、ホルダ１３ｆをリッド２０の裏面に設けても良い。
【図面の簡単な説明】
【００３８】
【図１】第１の実施の形態に係る車両用オーディオユニットの正面図
【図２】図１においてリッドを開いた状態を示す図
【図３】図１の３−３線断面図
【図４】図１の４−４線断面図
【図５】図２の５方向矢視図
【図６】前記図３に対応する、第１外部記憶手段の使用状態を示す図
【図７】前記図３に対応する、第２外部記憶手段の使用状態を示す図
【図８】第２の実施の形態に係る、前記図２に対応する図
【符号の説明】
【００３９】
１１      インストルメントパネル
１１ａ    取付開口
１２      オーディオユニット
１３      収納ボックス
２０      リッド
２２      液晶パネル
３２      ＣＤプレーヤ
【図１】
2010058720.tif 000003
【図２】
2010058720.tif 000004
【図３】
2010058720.tif 000005
【図４】
2010058720.tif 000006
【図５】
2010058720.tif 000007
【図６】
2010058720.tif 000008
【図７】
2010058720.tif 000009
【図８】
2010058720.tif 000010